(57)【要約】      （修正有）【課題】テープ交換に便利な粘着性テープ汚れ除去器を提供する。【解決手段】粘着性テープ汚れ除去器は、取り付け孔及びテープ引き出し溝を有する本体と、本体一側に設けられ、上側にカッター構造と組み合わさるカッター滑動溝を設け、外側に本体の回転と組み合わさる軸部を設ける把手と、本体の他側に設けられる殻蓋と、把手上方に設けられ、且つカッター構造スライド溝の滑動と組み合わさるカッター構造と、把手上に設けられ、下端部が係止溝と活動的に組み合わさるトリガアセンブリと、を含む。【選択図】図１
0003164191.tif 000002
【実用新案登録請求の範囲】
【請求項１】
本体と、把手と、蓋体と、カッター構造と、トリガアセンブリと、を含み、該本体は、テープ巻を収容することに用いるローラ形構造であり、前記本体の中心箇所に把手の回転と組み合わさる取り付け孔を設け、本体の外周上にテープ引き出し溝を設け、前記のテープ引き出し溝内にローラを設け、本体のテープ引き出し溝の両端に第１凹溝及び第２凹溝を設け、前記ローラ及び本体は、回転接続するものであり、前記取り付け孔の一端に係止溝を設け、該把手は、本体の一側に設けられ、掴持部及び接続部を含み、前記掴持部の上側は、カッター構造と組み合わさるカッター滑動溝を設け、前記接続部の外側に本体の回転と組み合わさる軸部を設け、該蓋体は、本体の他側に設けられ、該カッター構造は、把手の上方に設けられ、把手のカッター構造滑動溝と滑動的に組み合わさり、前記カッター構造内に刃軸を設け、前記刃軸の両端に第１刃片及び第２刃片を設け、該トリガアセンブリは、把手の掴持部及び接続部の接続箇所に設けられ、前記トリガアセンブリの下端部は、係止溝と活動的に組み合わさる粘着性テープ汚れ除去器。
【請求項２】
前記把手は、把手上蓋と把手下蓋を含み、前記カッター構造は、トリガアセンブリの活動を組み合わさる滑り止め溝を設ける請求項１に記載の粘着性テープ汚れ除去器。
【請求項３】
前記トリガアセンブリは、把手と固定接続するトリガ構造及びトリガ構造と回転接続する大トリガを含み、大トリガは、前記係止溝の活動と組み合わさる下端部と、カッター構造の滑り止め溝の活動と組み合わさる上端部と、を設ける請求項２に記載の粘着性テープ汚れ除去器。
【請求項４】
前記大トリガ上に小トリガを設け、前記トリガ構造上に小トリガを係止することに用いるラッチを設ける請求項３に記載の粘着性テープ汚れ除去器。
【請求項５】
前記第１刃片及び第２刃片は、何れも鋸歯状刃片である請求項４に記載の粘着性テープ汚れ除去器。
【請求項６】
前記本体外側にローラを固定することに用いるローラ押し部を設ける請求項５に記載の粘着性テープ汚れ除去器。
【請求項７】
前記把手軸部は、本体と迅速に合わさり接続することに用いる嵌合凸部を設ける請求項６に記載の粘着性テープ汚れ除去器。
【請求項８】
前記蓋体は、本体と固定接続することに用いる接続ブロックを設け、前記本体は、蓋体と接続することに用いる接続孔を設ける請求項７に記載の粘着性テープ汚れ除去器。
【請求項９】
前記トリガアセンブリは、大トリガを復位させることに用いる大トリガばねと、小トリガをラッチに係止させることに用いる小トリガばねとを含む請求項８に記載の粘着性テープ汚れ除去器。
【請求項１０】
前記カッター構造は、第１刃片と、第２刃片と、刃軸と、を収容することに用いる刃片倉と、手指でカッター構造を押し動かすのに用いる滑り止め部と、を含む請求項９に記載の粘着性テープ汚れ除去器。
【考案の詳細な説明】
【技術分野】
【０００１】
本考案は、粘着性テープを汚れ除去媒体とし、固体表面汚れ除去処理を行なう装置に関し、特に転動式粘着性テープ汚れ除去器に関する。
【背景技術】
【０００２】
現有技術において、中国特許第ＣＮ２１６０４７５号特許文献は、粘着性転動汚れ除去器を公開しており、それは、粘着性テープローラ、前支持構造、後支持構造及び転動芯軸兼把手で構成され、前支持構造及び後支持構造は、それぞれ粘着性テープローラの両端に取り付けられ、転動芯軸兼把手は、後支持構造から挿入され、粘着性テープローラを経過して前支持構造と相互に接続し、該汚れ除去器を手に持ち、物体表面を転がす時、その表面の絨毛、灰塵及び汚物をテープに粘着させ、該転動汚れ除去器は、灰塵が空気中に飛び散ることを防止することができ、且つ構造が簡単で、製造コストが低く、携帯可能であるが、現有市場において販売される粘着性テープの粘着性表面が内側あり、該特許文献が公開する汚れ除去器が使用できなくなっており、且つ使用済みのテープを除去切除できる機構がなく、使用者に極めて大きな不便をもたらしている。
【０００３】
また、実際に粘着性テープを採用し、毛織物等の物体表面に汚れ除去処理を行なう時、操作人員の多くは、直接手でテープ巻を握り、転動式汚れ除去操作を行い、このような使用は不便であるだけでなく、操作人員の疲労を引き起こし易く、仕事効率を低下させ、操作が不当になり、汚れ除去された物品を損壊させ易い。
【０００４】
上記現有技術の欠陥に基づき、本考案者は、テープ交換に便利な粘着性テープ汚れ除去器を研究開発している。
【先行技術文献】
【特許文献】
【０００５】
【特許文献１】中国特許第ＣＮ２１６０４７５号明細書
【考案の概要】
【考案が解決しようとする課題】
【０００６】
本考案の目的は、現有技術の不足を克服するため、テープ交換に便利な粘着性テープ汚れ除去器を提供することにある。
【課題を解決するための手段】
【０００７】
本考案の技術的内容は以下の通りである：粘着性テープ汚れ除去器であって、本体と、把手と、蓋体と、カッター構造と、トリガアセンブリと、を含み、該本体は、テープ巻を収容することに用いるローラ形構造であり、前記本体の中心箇所に把手の回転と組み合わさる取り付け孔を設け、本体の外周上にテープ引き出し溝を設け、前記のテープ引き出し溝内にローラを設け、本体のテープ引き出し溝の両端に第１凹溝及び第２凹溝を設け、前記ローラ及び本体は、回転接続するものであり、前記取り付け孔の一端に係止溝を設け、該把手は、本体の一側に設けられ、掴持部及び接続部を含み、前記掴持部の上側は、カッター構造と組み合わさるカッター滑動溝を設け、前記接続部の外側に本体の回転と組み合わさる軸部を設け、該蓋体は、本体の他側に設けられ、該カッター構造は、把手の上方に設けられ、把手のカッター構造滑動溝と滑動的に組み合わさり、前記カッター構造内に刃軸を設け、前記刃軸の両端に第１刃片及び第２刃片を設け、該トリガアセンブリは、把手の掴持部及び接続部の接続箇所に設けられ、前記トリガアセンブリの下端部は、係止溝と活動的に組み合わさる。
【０００８】
更なる技術的内容は、以下である：前記把手は、把手上蓋と把手下蓋を含み、前記カッター構造は、トリガアセンブリの活動を組み合わさる滑り止め溝を設ける。
【０００９】
更なる技術的内容は、以下である：前記トリガアセンブリは、把手と固定接続するトリガ構造及びトリガ構造と回転接続する大トリガを含み、大トリガは、前記係止溝の活動と組み合わさる下端部と、カッター構造の滑り止め溝の活動と組み合わさる上端部と、を設ける。
【００１０】
更なる技術的内容は、以下である：前記大トリガ上に小トリガを設け、前記トリガ構造上に小トリガを係止することに用いるラッチを設ける。
【００１１】
更なる技術的内容は、以下である：前記第１刃片及び第２刃片は、何れも鋸歯状刃片である。
【００１２】
更なる技術的内容は、以下である：前記本体外側にローラを固定することに用いるローラ押し部を設ける。
【００１３】
更なる技術的内容は、以下である：前記把手軸部は、本体と迅速に合わさり接続することに用いる嵌合凸部を設ける。
【００１４】
更なる技術的内容は、以下である：前記蓋体は、本体と固定接続することに用いる接続ブロックを設け、前記本体は、蓋体と接続することに用いる接続孔を設ける。
【００１５】
更なる技術的内容は、以下である：前記トリガアセンブリは、大トリガを復位させることに用いる大トリガばねと、小トリガをラッチに係止させることに用いる小トリガばねとを含む。
【００１６】
更なる技術的内容は、以下である：前記カッター構造は、第１刃片と、第２刃片と、刃軸と、を収容することに用いる刃片倉と、手指でカッター構造を押し動かすのに用いる滑り止め部と、を含む。
【考案の効果】
【００１７】
本考案は、現有技術と比較し、以下の有益効果を有する：本考案は、本体と把手の間の回転の組み合わせを利用し、操作者が使用時にテープの粘着性を十分に利用し、往復転動式で汚れ除去処理を行うことができる。双刃片構造を利用し、失効したテープを便利に切除できるだけでなく、小さな頭端を残し、再度テープを引き出すのに便利であり、トリガアセンブリの係止機能及びセルフロック機能を利用し、操作者に非常に便利に操作を行わせることができ、製品全体の構造の大部分は、プラスチック材料を採用し、コストが低い。従来のテープ汚れ除去工具と比較し、使用に便利であり、仕事効率が高いという利点を有し、汚れ除去処理の作業効率を効率的に向上し、経営者のコストを低減することができる。
【図面の簡単な説明】
【００１８】
【図１】本考案の粘着性テープ汚れ除去器具体の実施例の立体図である。
【図２】図１が示す実施例のカッター構造の推移状態の立体図である。
【図３】図１が示す実施例の立体分解図である。
【図４】図３の他の角度の立体分解図である。
【図５】図１が示す実施例のトリガアセンブリの立体図である。
【図６】図５中のトリガ構造の立体図である。
【図７】本考案の粘着性テープ汚れ除去器からテープを引き出す説明図である。
【図８】図７に続き、テープをリングにテープを巻き付ける立体説明図である。
【図９】図８に続き、テープの切断を行なう説明図である。
【考案を実施するための形態】
【００１９】
本考案の技術的内容を十分に理解させる為、以下に実施例を合わせて本考案の技術試案を説明するが、これに限定するものではない。
【００２０】
図１〜図６に示すように、本考案の粘着性テープ汚れ除去器は、本体１と、把手２と、蓋体３と、カッター構造４と、トリガアセンブリ５と、を含み、該本体１は、テープ巻Ａ（即ち、通常の箱に取り付ける粘着性テープ）を収容することに用いるローラ形構造であり、前記本体１の中心箇所に把手２の回転と組み合わさる取り付け孔１０を設け、本体１の外周上にテープ引き出し溝１１を設け、前記のテープ引き出し溝１１内にローラ１２を設け、本体１のテープ引き出し溝１１の両端に第１凹溝１３及び第２凹溝１４を設け、前記ローラ１２及び本体１は、回転接続するものであり、前記取り付け孔１０の一端に係止溝１００を設け、該把手２は、本体１の一側に設けられ、掴持部２１及び接続部２２（これは、機能区分である）を含み、前記掴持部２１の上側は、カッター構造４と組み合わさるカッター滑動溝２１０を設け、前記接続部２２の外側に本体１の回転と組み合わさる軸部２２０を設け、該蓋体３は、本体１の他側に設けられ、該カッター構造４は、把手２の上方に設けられ、把手２のカッター構造滑動溝２１０の滑動と組み合わさり、前記カッター構造４は、軸孔４４に合わせて刃軸４０を設け、前記刃軸４０の両端に第１刃片４１及び第２刃片４２を設け、該トリガアセンブリ５は、把手２の掴持部２１及び接続部２２の接続箇所（即ち、湾折箇所）に設けられ、前記トリガアセンブリ５の下端部５１は、係止溝１００と活動と組み合わさる（係止溝と係合するような組み合わせ関係であり、両者の相互の組み合わせ時、下端部５１は、本体１に対して係止作用を実施する）。把手２は、把手上蓋２Ａと把手下蓋２Ｂ（構造区分である）を含み、カッター構造４底部は、トリガアセンブリ５の活動を組み合わさる滑り止め溝４５を設け、大トリガ５３の上端部５４が滑り止め溝４５に伸入する時、カッター構造４の本体１方向への滑動を防止することができる。トリガアセンブリ５は、把手２と固定接続するトリガ構造５２と、支軸５３２によりトリガ構造５２と回転接続する大トリガ５３と、を含み、大トリガ５３は、係止溝１００の活動と組み合わさる下端部５１と、カッター構造４の係止溝４の活動と組み合わさる上端部５４と、を設ける。大トリガ５３上に支軸５３３により小トリガ５３１を回転接続し、トリガ構造５２上に小トリガ５３１を係止することに用いるラッチ５２１を設け、例えば、図５，図６に示すように、ラッチ５３１のステップ部５２１１は、小トリガ５３１の係止部５３１１を係止することに用いられ、トリガ構造５２と接続するトリガ蓋５７を更に設ける。第１刃片４１及び第２刃片４２は、好ましくは、鋸歯状刃片を採用する。本体１外側にローラ１２を固定することに用いるローラ押し部１５を設け、ローラ押し部１５は、本体１上の押し部固定溝１７と堅固に接続する。軸部２２０は、本体１と迅速に合わさり接続することに用いる嵌合凸部２２１を設ける。蓋体３は、本体１と固定接続することに用いる接続ブロック３１を設け、本体１は、蓋体３と接続することに用いる接続孔１６を設ける。トリガアセンブリ５は、大トリガ５３を復位させることに用いる大トリガばね５５と、小トリガ５３１をラッチ５２１に係止させることに用いる小トリガばね５６とを更に含む。カッター構造４は、第１刃片４１と、第２刃片４２と、刃軸４０と、を収容することに用いる刃片倉４Ａと、手指でカッター構造４を押し動かすのに用いる滑り止め部４Ｂと、を含む。
【００２１】
汚れ除去器全体の動作原理は、以下のようである：先ずテープ巻Ａを本体１内に組み込み、図１〜図５に示すように、テープＡ１の頭端をテープ引き出し溝１１から引き出した後、粘着性を有する面を外に向け、本体１の外周を一回り巻きつけ、テープＡ１の頭端Ａ１を引き出されたテープＡ１の粘着面と重ね合わせ相互に堅く粘着し（図７及び図８参照）、１つの完全な粘着性外円を形成し、汚れ除去操作を行なう（例えば、織物等の物体表面の汚物等を粘着除去する）時、大トリガ５３を上向きに起こし、ラッチ５２１の小トリガ５３１に対する係止作用により、大トリガ５３は、上位の位置にロックされ（図５に示す位置参照）、この時、大トリガ５３の下端部５１は、本体１の係止溝１００を離脱し、本体１を往復的に転動させることができる。大トリガ５３の上端部５４は、カッター構造４の滑り止め溝４５に同時に伸入し、カッター構造４が本体１方向に滑動するのを防止することができる。テープＡ１表面の粘着性が小さくなる時、失効したテープＡ１を除去する必要があり、この時、小トリガ５３１を起こし、小トリガ５３１をラッチ５２１の係止作用から離脱させ、大トリガ５３は、大トリガばね５５の弾性作用の下、元の位置に引き戻され、大トリガ５３の下端部５１は、本体１の係止溝１００と新たに組み合わさる。大トリガ５３が離れる時、係止溝１００が下端部５１の対応箇所に位置しない時、本体１を転動させることによって、係止溝１００を下端部５１とかみ合わせ、本体１の位置を新たに最初の位置に定位させることができ、この時、図２、図３、図９に示すように、手指でカッター構造４及び第１刃片４１及び第２刃片４２を押し動かし、テープＡ１に対し切除を行なう。
【００２２】
テープ引き出し溝１１が第１凹溝１３及び第２凹溝１４、即ち、第１刃片４１及び第２刃片４２の間に位置するので、２つの刃片の間の切除していない小さなテープ部位を頭端とし、操作者が新たに外にテープＡ１を引き出すのに便利であり、テープＡ１が利器により破壊されないように保護することもできる。カッター構造４が切削を行なった後、カッター構造４を元の位置に回復させ、新たにテープＡ１を引き出し、粘着した後、前面の動作を継続し、大トリガ５３を起こし、転動式の汚れ除去操作を行なう。
【００２３】
上記のように、本考案は、本体及び把手の間の回転の組み合わせを利用し、操作者が使用時にテープの粘着性を十分に利用し、往復転動式で汚れ除去処理を行うことができる。双刃片構造を利用し、失効したテープを便利に切除できるだけでなく、小さな頭端を残し、再度テープを引き出すのに便利であり、トリガアセンブリの係止機能及びセルフロック機能を利用し、操作者に非常に便利に操作を行わせることができ、製品全体の構造の大部分は、プラスチック材料を採用し、コストが低い。従来のテープ汚れ除去工具と比較し、使用に便利であり、仕事効率が高いという利点を有し、汚れ除去処理の作業効率を効率的に向上し、経営者のコストを低減することができる。
【符号の説明】
【００２４】
１  本体
１０  取り付け孔
１００  係止溝
１１  テープ引き出し溝
１２  ローラ
１３  第１凹溝
１４  第２凹溝
１５  ローラ押し部
１６  接続孔
１７  押し部固定溝
Ａ  テープ巻
Ａ１  テープ
２  把手
２Ａ  把手上蓋
２Ｂ  把手下蓋
２１  掴持部
２１０  カッター構造滑動溝
２２  接続部
２２０  軸部
２２１  嵌合凸部
３  蓋体
３１  接続ブロック
４  カッター構造
４Ａ  刃片倉
４Ｂ  滑り止め部
４０  刃軸
４１  第１刃片
４２  第２刃片
４３  刃片蓋
４４  軸孔
４５  滑り止め溝
５  トリガアセンブリ
５１  下端部
５２  トリガ構造
５２１  ラッチ
５３  大トリガ
５３１  小トリガ
５３２  支軸
５３３  支軸
５３１１  係止部
５２１１  ステップ部
５４  上端部
５５  大トリガねじりばね
５６  小トリガねじりばね
５７  トリガ蓋
【図１】
0003164191.tif 000003
【図２】
0003164191.tif 000004
【図３】
0003164191.tif 000005
【図４】
0003164191.tif 000006
【図５】
0003164191.tif 000007
【図６】
0003164191.tif 000008
【図７】
0003164191.tif 000009
【図８】
0003164191.tif 000010
【図９】
0003164191.tif 000011